(57)【要約】      （修正有）【課題】振動及び歪みに起因する画質の劣化の双方を防止する光書き込み装置及び画像形成装置を提供する。【解決手段】ホルダー２００は、腕部２０３ａ、２０３ｂの座面にてロッドレンズアレイ２２０を挟持する。腕部２０３ａ、２０３ｂは長尺方向においてそれぞれ脚部２０２ａ、２０２ｂに対応する位置に設けられており、脚部２０２ａ、２０２ｂが板金部材２１０に接着固定されているので、腕部２０３ａ、２０３ｂ並びにロッドレンズアレイ２２０の振動が抑制される。ホルダー２００と板金部材２１０とに熱膨張差が生じると、脚部２０２ａが変形するので、ホルダー２００やロッドレンズアレイ２２０の変形が防止される。従って、振動や熱膨張に起因するロッドレンズアレイ２２０の結像状態の乱れが防止される。【選択図】図６
2018086791.tif 000002
【特許請求の範囲】
【請求項１】
複数の発光素子がライン状に配列された発光基板と、
前記発光基板が一主面にマウントされた板金部材と、
前記板金部材の前記主面に、前記発光基板を囲繞する状態で載置されたホルダーと、
前記各発光素子の出射光を被照射体上に集光させるため、前記発光基板上方に該基板と並走する状態で前記ホルダーの腕部に支持された長尺状の光学部材と、を備え、
前記腕部は、前記長尺方向と直交する短尺方向にホルダー本体の内側面から内方に複数突出し、各腕部の先端側は、前記光学部材の外側面に当接して光学部材を支持しており、
前記ホルダーは、長尺方向における中央部と両端部寄り位置において、前記短尺方向にホルダー本体の外側面から外方に突出した脚部を有し、
各脚部は板金部材の前記主面に固着され、
両端部寄りの脚部は、先端部のみで前記板金部材に固着されており、中央部の脚部に比して剛性が低く形成されている
ことを特徴とする光書き込み装置。
【請求項２】
前記脚部のうち、中央部の脚部は、両端部寄りの脚部よりも高い強度で前記板金部材に固着される
ことを特徴とする請求項１に記載の光書き込み装置。
【請求項３】
前記各腕部は、前記各脚部と１対１に対応する関係で前記ホルダーの長尺方向において同一位置に設けられている
ことを特徴とする請求項１又は２に記載の光書き込み装置。
【請求項４】
前記ホルダーは、更に、前記長尺方向における前記中央部の脚部と前記両端部寄りの脚部との中間に、前記各脚部とは別の、前記主面に固着されている又は固着されていない脚部を有するとともに、前記中間の脚部に対応して前記ホルダーの長尺方向において同一位置に腕部を有しており、
前記長尺方向における前記中央部の腕部と前記両端部寄りの各腕部は、前記光学部材に固着されているか否かの何れかであり、
前記長尺方向における中間の腕部と脚部とは、前記腕部が前記光学部材に固着されているか、前記脚部が前記板金部材に固着されているか、の少なくとも一方である
ことを特徴とする請求項３に記載の光書き込み装置。
【請求項５】
前記板金部材に固着されている前記脚部のうち、前記長尺方向に隣り合う脚部どうしの間隔と、前記光学部材に固着されている前記腕部のうち、前記長尺方向に隣り合う腕部どうしの間隔とが異なっている
ことを特徴とする請求項３又は４に記載の光書き込み装置。
【請求項６】
前記板金部材に固着されている前記脚部のうち、前記長尺方向に隣り合う脚部どうしの前記長尺方向における間隔が、前記光学部材に固着されている前記腕部のうち、前記長尺方向に隣り合う腕部どうしの前記長尺方向における間隔よりも広い
ことを特徴とする請求項５に記載の光書き込み装置。
【請求項７】
前記長尺方向において１対１に対応する位置にある前記腕部と前記脚部とは、前記腕部が前記光学部材に固着されているか、前記脚部が前記板金部材に固着されているか、である
ことを特徴とする請求項４から６の何れかに記載の光書き込み装置。
【請求項８】
前記中間の脚部は、前記両端部寄りの脚部よりも前記長尺方向における幅が大きく、前記中央部の脚部よりも前記長尺方向における幅が小さい
ことを特徴とする請求項５から７の何れかに記載の光書き込み装置。
【請求項９】
前記両端部寄りの脚部は、前記中央部の脚部よりも前記長尺方向における幅が小さい
ことを特徴とする請求項１から８の何れかに記載の光書き込み装置。
【請求項１０】
前記中央部の脚部は、少なくとも基部において前記板金部材に固着されている
ことを特徴とする請求項１から９の何れかに記載の光書き込み装置。
【請求項１１】
前記ホルダーは、前記本体、前記腕部及び前記脚部が樹脂成型によって一体形成されている
ことを特徴とする請求項１から１０の何れかに記載の光書き込み装置。
【請求項１２】
前記発光素子はＯＬＥＤである
ことを特徴とする請求項１から１１の何れかに記載の光書き込み装置。
【請求項１３】
前記光学部材はロッドレンズアレイである
ことを特徴とする請求項１から１２の何れかに記載の光書き込み装置。
【請求項１４】
請求項１から１３の何れかに記載の光書き込み装置を備える
ことを特徴とする画像形成装置。
【発明の詳細な説明】
【技術分野】
【０００１】
本発明は、光書き込み装置及び画像形成装置に関し、特に温度変化や振動に起因するＯＬＥＤ−ＰＨの結像状態の劣化を防止する技術に関する。
【背景技術】
【０００２】
近年、画像形成装置に用いられる光書き込み装置の技術分野においては、光源として有機ＬＥＤ（OLED: Organic Light-Emitting Diode）を用い、有機ＬＥＤの出射光を感光体ドラムの外周面上に結像させる光学素子としてロッドレンズアレイを用いたＯＬＥＤ−ＰＨ（OLED Print Head）が低コストかつ省スペースな構成として注目されている。
図１３（ａ）に例示するように、ロッドレンズアレイ１３０１は、高剛性の板金部材１３０２に固定されたホルダー１３０３の貫通孔１３０４内に挿入した状態で接着固定されるのが一般的である。ホルダー１３０３は樹脂成型で作成されるので、成型時の反りや収縮、金型の寸法誤差が生じ得る。このような寸法誤差を考慮して、ロッドレンズアレイ１３０１よりも大きい貫通孔１３０４を設け、ロッドレンズアレイ１３０１を貫通孔１３０４内に挿入した状態でホルダー１３０３に接着固定する手法が採用されている。
【０００３】
しかしながら、ロッドレンズアレイ１３０１とホルダー１３０３とを接着する接着剤１３０５は剛性が低いので、ＯＬＥＤ−ＰＨ１３００に振動が加わるとロッドレンズアレイ１３０１が板金部材１３０２に対して傾斜する。板金部材１３０２には、ＯＬＥＤを実装した発光基板１３０６が接着固定されているので、ロッドレンズアレイ１３０１は発光基板に対しても傾斜することになる。その結果、図１３（ｂ）に示すように、ＯＬＥＤの出射光Ｌ２の結像状態が悪化する。
【０００４】
このような問題に対して、例えば、図１４（ｃ）に示すように、ロッドレンズアレイ１４１０の側面に沿わせてホルダー１４０１を接着固定する（特許文献１を参照）とともに、ホルダー１４０１の短尺方向にリブ１４０３等の突起部を設けて板金部材１４２０に当接させる構成が有効と考えられる。このようにすれば、振動が加わることによって、ロッドレンズアレイ１４１０がホルダー１４０１に対して傾斜したり、ホルダー１４０１が板金部材１４２０に対して傾斜したりするのを抑制することができる。
【先行技術文献】
【特許文献】
【０００５】
【特許文献１】特開２０１４−９４４７２号公報
【特許文献２】特開２００６−１５４１１６号公報
【発明の概要】
【発明が解決しようとする課題】
【０００６】
しかしながら、ＯＬＥＤ−ＰＨ１４００に搭載されているＩＣ（Integrated Circuit。図示省略）等が発熱することによってホルダー１４０１や板金部材１４２０が加熱されると、図１４（ａ）、（ｂ）に示すように、ホルダー１４０１と板金部材１４２０との間に熱膨張差が生じる。すると、ホルダー１４０１と板金部材１４２０とは接着固定されているため、破線で示すようにホルダー１４０１と板金部材１４２０が共に変形し、延いてはロッドレンズアレイ１４１０までが歪んでしまう。ロッドレンズアレイ１４１０が歪むとＯＬＥＤの出射光Ｌ３の結像状態が悪化して、印刷画像の品質低下を招く恐れがある。
【０００７】
ホルダーやロッドレンズアレイに用いられる樹脂材料は湿度の変化によっても膨張収縮し得るため、湿度の変化によってもＯＬＥＤ−ＰＨが歪んで結像状態が悪化するおそれがある。
本発明は、上述のような問題に鑑みて為されたものであって、振動及び歪みに起因する画質の劣化の双方を防止する光書き込み装置及び画像形成装置を提供することを目的とする。
【課題を解決するための手段】
【０００８】
上記目的を達成するため、本発明に係る光書き込み装置は、複数の発光素子がライン状に配列された発光基板と、前記発光基板が一主面にマウントされた板金部材と、前記板金部材の前記主面に、前記発光基板を囲繞する状態で載置されたホルダーと、前記各発光素子の出射光を被照射体上に集光させるため、前記発光基板上方に該基板と並走する状態で前記ホルダーの腕部に支持された長尺状の光学部材と、を備え、前記腕部は、前記長尺方向と直交する短尺方向にホルダー本体の内側面から内方に複数突出し、各腕部の先端側は、前記光学部材の外側面に当接して光学部材を支持しており、前記ホルダーは、長尺方向における中央部と両端部寄り位置において、前記短尺方向にホルダー本体の外側面から外方に突出した脚部を有し、各脚部は板金部材の前記主面に固着され、両端部寄りの脚部は、先端部のみで前記板金部材に固着されており、中央部の脚部に比して剛性が低く形成されていることを特徴とする。
【発明の効果】
【０００９】
このようにすれば、振動及び歪みに起因する画質の劣化の双方を防止することができる。
この場合において、前記脚部のうち、中央部の脚部は、両端部寄りの脚部よりも高い強度で前記板金部材に固着されてもよい。
また、前記各腕部は、前記各脚部と１対１に対応する関係で前記ホルダーの長尺方向において同一位置に設けられていてもよい。
【００１０】
また、前記ホルダーは、更に、前記長尺方向における前記中央部の脚部と前記両端部寄りの脚部との中間に、前記各脚部とは別の、前記主面に固着されている又は固着されていない脚部を有するとともに、前記中間の脚部に対応して前記ホルダーの長尺方向において同一位置に腕部を有しており、前記長尺方向における前記中央部の腕部と前記両端部寄りの各腕部は、前記光学部材に固着されているか否かの何れかであり、前記長尺方向における中間の腕部と脚部とは、前記腕部が前記光学部材に固着されているか、前記脚部が前記板金部材に固着されているか、の少なくとも一方であってもよい。
【００１１】
また、前記板金部材に固着されている前記脚部のうち、前記長尺方向に隣り合う脚部どうしの間隔と、前記光学部材に固着されている前記腕部のうち、前記長尺方向に隣り合う腕部どうしの間隔とが異なってもよい。
また、前記板金部材に固着されている前記脚部のうち、前記長尺方向に隣り合う脚部どうしの前記長尺方向における間隔が、前記光学部材に固着されている前記腕部のうち、前記長尺方向に隣り合う腕部どうしの前記長尺方向における間隔よりも広くてもよい。
【００１２】
また、前記長尺方向において１対１に対応する位置にある前記腕部と前記脚部とは、前記腕部が前記光学部材に固着されているか、前記脚部が前記板金部材に固着されているか、であってもよい。
また、前記中間の脚部は、前記両端部寄りの脚部よりも前記長尺方向における幅が大きく、前記中央部の脚部よりも前記長尺方向における幅が小さいのが望ましい。また、前記両端部寄りの脚部は、前記中央部の脚部よりも前記長尺方向における幅が小さいのが望ましい。
【００１３】
また、前記中央部の脚部は、少なくとも基部において前記板金部材に固着されていてもよい。
また、前記ホルダーは、前記本体、前記腕部及び前記脚部が樹脂成型によって一体形成されているのが望ましい。また、前記発光素子はＯＬＥＤであってもよい。また、前記光学部材はロッドレンズアレイであってもよい。
【００１４】
また、本発明に係る画像形成装置は、本発明に係る光書き込み装置を備えることを特徴とする。
【図面の簡単な説明】
【００１５】
【図１】第１の実施の形態に係る画像形成装置１の主要な構成を示す図である。
【図２】光書き込み装置１００の主要な構成を示す断面斜視図である。
【図３】接着固定前のホルダー２００並びにロッドレンズアレイ２２０を示す平面図である。
【図４】光書き込み装置１００を示す平面図である。
【図５】（ａ）は光書き込み装置１００のＣ−Ｃ断面を示し、（ｂ）は光書き込み装置１００のＢ−Ｂ断面を示す。
【図６】（ａ）、（ｂ）は光書き込み装置１００が熱膨張する前後の状態を示す平面図並びに側面図であり、（ｃ）は（ａ）の破線６００内を示す拡大図である。
【図７】第２の実施の形態に係る光書き込み装置１００を示す平面図である。
【図８】第２の実施の形態に係る光書き込み装置１００を示す側面図である。
【図９】第３の実施の形態に係る光書き込み装置１００を示す平面図である。
【図１０】第３の実施の形態に係る光書き込み装置１００を示す側面図である。
【図１１】第４の実施の形態に係る光書き込み装置１００を示す側面図である。
【図１２】変形例に係る光書き込み装置１００の主要な構成を示す断面斜視図である。
【図１３】（ａ）は従来技術に係るＯＬＥＤ−ＰＨの平面図であり、（ｂ）は（ａ）におけるＸ−Ｘ線を含むＯＬＥＤ−ＰＨの断面図であって、ＯＬＥＤ−ＰＨに振動が加わっていない状態と加わっている状態とを示している。
【図１４】（ａ）、（ｂ）は熱膨張の前後におけるＯＬＥＤ−ＰＨを示す平面図と側面図であり、（ｃ）は（ａ）におけるＹ−Ｙ線を含む断面図である。
【発明を実施するための形態】
【００１６】
以下、本発明に係る光書き込み装置及び画像形成装置の実施の形態について、図面を参照しながら説明する。
［１］第１の実施の形態
本発明の第１の実施の形態について説明する。
（１−１）画像形成装置の構成
まず、本実施の形態に係る画像形成装置の構成について説明する。
【００１７】
図１は、本実施の形態に係る画像形成装置の主要な構成を示す図である。図１に示されるように、画像形成装置１は、所謂タンデム型のカラープリンター装置である。画像形成装置１が備える作像部１０１Ｙ〜１０１ＫはＹ（イエロー）、Ｍ（マゼンタ）、Ｃ（シアン）、Ｋ（ブラック）各色のトナー像を形成する。
例えば、作像部１０１Ｙは、帯電装置１１１Ｙを用いて感光体ドラム１１０Ｙの外周面を一様に帯電させる。光書き込み装置１００Ｙは、感光体ドラム１１０Ｙの外周面を露光して静電潜像を形成する。現像装置１１２Ｙは、Ｙ色のトナーを供給し、静電潜像を現像（顕像化）して、Ｙ色のトナー像を形成する。１次転写ローラー１１３Ｙは、感光体ドラム１１０Ｙの外周面上に担持されているトナー像を中間転写ベルト１０２上に静電転写（１次転写）する。
【００１８】
作像部１０１Ｍ〜１０１Ｋも同様にしてはＭＣＫ各色のトナー像を形成し、ＹＭＣＫ各色のトナー像が互いに重なり合うように中間転写ベルト１０２上に順次、１次転写される。このようにしてカラートナー像が形成される。モノクロトナー像を形成する場合には、ユーザーが指定した色の作像部のみが指定色のモノクロトナー像を形成する。
中間転写ベルト１０２がトナー像を２次転写ローラー対１０３まで搬送するのに合わせて、給紙カセット１０４から供給された記録シートＳも２次転写ローラー対１０３まで搬送される。
【００１９】
２次転写ローラー対１０３は、中間転写ベルト１０２上のトナー像を記録シートＳ上に静電転写（２次転写）する。トナー像を転写された記録シートＳは、定着装置１０５でトナー像を熱定着された後、排紙トレイ１０６上に排出される。
（１−２）光書き込み装置の１００構成
次に、光書き込み装置１００の構成について説明する。
【００２０】
図２は、感光体ドラム１１０の回転軸に垂直な断面で切断した光書き込み装置１００の断面斜視図である。
図２に示されるように、光書き込み装置１００は、感光体ドラム１１０の回転軸方向（主走査方向）に沿って長尺状であり、板金部材２１０の上面にホルダー２００とロッドレンズアレイ２１０とを配置した構成になっている。ホルダー２００は板金部材２１０に接着されている。ホルダー２００はロッドレンズアレイ２２０を保持する。
【００２１】
板金部材２１０は、ホルダー２００に加えて、ＴＦＴ（Thin Film Transistor）基板２３０が接着されている。ＴＦＴ基板２３０には多数のＯＬＥＤ（Organic Light-Emitting Diode）２３１がライン状に実装された発光基板である。ＯＬＥＤ２３１の出射光Ｌはロッドレンズアレイ２２０によって感光体ドラム１１０の外周面上に集光される。
ロッドレンズアレイ２２０としては、例えば、屈折率分布型レンズを多数配列し、全体で一個の連続した像を形成するＳＬＡ（Selfoc Lens Array。Selfocは日本板硝子株式会社の登録商標。）を用いることができる。また、ＳＬＡ以外のマルチレンズアレイを用いてもよい。
【００２２】
ホルダー２００は、本体部２０１、脚部２０２及び腕部２０３からなっており、樹脂成型によって一体形成される。本体部２０１は長尺の第１並びに第２の本体部と、これらの両端をそれぞれ連絡する連絡部とからなる。第１、２の本体部と連絡部とが囲繞する貫通孔にはロッドレンズアレイ２２０が挿入される。
脚部２０２ａ、２０２ｂは、平面視において、それぞれ本体部２０１の外側面から側方に突出するように形成されたリブ状の部分である。脚部２０２ａ、２０２ｂは接着剤４０１、４０２を用いて板金部材２１０に接着固定される。
【００２３】
また、腕部２０３ａ、２０３ｂは、平面視において、本体部２０１の内側面から側方に突出するように形成されている。ロッドレンズアレイ２２０は、腕部２０３ａ、２０３ｂの座面に当接した状態で、腕部２０３ａ、２０３ｂに接着固定される。
図３は、接着固定前のホルダー２００とロッドレンズアレイ２２０とを示す平面図である。平面視において、ホルダー２００は長尺形状となっており、ホルダー２００の中央部には本体部２０１に囲繞された貫通孔３００が設けられている。ロッドレンズアレイ２２０は、接着固定に先立って、ホルダー２００の貫通孔３００内に配置される。ホルダー２００に外力を加えていない状態において、貫通孔３００はホルダー２００の短尺方向（以下、単に「短尺方向」という。）においてロッドレンズアレイ２２０よりも幅広になっている。
【００２４】
ホルダー２００の長尺方向（以下、単に「長尺方向」という。）における中央部と両端側には脚部２０２ａ、２０２ｂと腕部２０３ａ、２０３ｂとが設けられている。腕部２０３ａ、２０３ｂは、短尺方向の内側に座面を有している。
また、短尺方向における腕部２０３ａ、２０３ｂの外側にはそれぞれ脚部２０２ａ、２０２ｂが設けられている。すなわち、脚部２０２ａと腕部２０３ａ、脚部２０２ｂと腕部２０３ｂはそれぞれ長尺方向において略同じ位置にある。このようにすれば、ホルダー２００に振動が加わっても、ロッドレンズアレイ２２０を挟持する座面が短尺方向に振動し難くなるので、ロッドレンズアレイ２２０の振動が抑制される。
【００２５】
長尺方向における両端側の脚部２０２ａは、中央部の脚部２０２ｂよりも長尺方向における幅が小さい。長尺方向における両端側の腕部２０３ａの座面は鉛直方向を軸とする円柱面になっており、ロッドレンズアレイ２２０に対する腕部２０３ａの当接角が変化しても当接状態を安定化することができるので、ロッドレンズアレイ２２０を確実に挟持することができる。一方、中央部の腕部２０３ｂの座面はロッドレンズアレイ２２０の側面に沿う平面になっている。
【００２６】
光書き込み装置１００を組み立てる際には、まず貫通孔３００内の適当な位置においてロッドレンズアレイ２２０を保持した状態で、ホルダー２００の長尺方向における中央部を短尺方向における両外側から押圧することによって本体部２０１を内側に撓ませて、腕部２０３ａの座面をロッドレンズアレイ２２０の側面に当接させる。更に、本体部２０１を撓ませると、腕部２０３ｂの座面がロッドレンズアレイ２２０の側面に当接する。
【００２７】
このようにすれば、ロッドレンズアレイ２２０が腕部２０３ａ、２０３ｂの座面によって挟持される。ロッドレンズアレイ２２０を挟持している状態で、図４に示すように、腕部２０３ａ、２０３ｂをロッドレンズアレイ２２０の側面に接着固定し、更に、脚部２０２ａが先端部において板金部材２１０に接着固定され、脚部２０２ｂは基部において板金部材２１０に接着固定される。なお、板金部材２１０はこれらの接着固定位置以外においては、ホルダー２００に固定されていない。
【００２８】
図５（ａ）は、図４における一点鎖線Ｃ−Ｃにおける光書き込み装置１００の断面図である。図５（ａ）に示すように、ロッドレンズアレイ２２０は腕部２０３ｂの座面近傍でホルダー２００に接着固定される。また、脚部２０２ｂは、基部において板金部材２１０に接着固定される。これによって、本体部２０１の一部もまた板金部材２１０に接着固定される。
【００２９】
このようにホルダー２００を板金部材２１０に接着固定すれば、板金部材２１０の剛性を効率的にホルダー２００に伝達することができるので、ロッドレンズアレイ２２０が短尺方向に振動するのを抑制することができる。また、脚部２０２ｂは長尺方向に幅広になっているので、ＯＬＥＤ−ＰＨに搭載されているＩＣが発熱することによって、ホルダー２００や板金部材２１０が熱膨張した際にも、板金部材２１０との位置関係が変動しない。このため、脚部２０２ｂは光書き込み装置１００の熱変形の起点となる。
【００３０】
このようにすれば、ホルダー２００の中央部以外の個所を熱変形の起点とした場合を比較して、熱膨張差に起因する板金部材２１０との位置ずれの最大長を小さくすることができる。例えば、ホルダー２００の長尺方向における一方の端部を熱変形の起点として板金部材２１０に固定すると、ホルダー２００の中央部を熱変形の起点とする場合と比較して、熱変形の起点からホルダー２００の他端までの距離が２倍になる。
【００３１】
このため、ホルダー２００の他端と板金部材２１０との熱膨張による位置ずれもまた２倍になり、ホルダー２００の他端側の脚部の変形量もまた大きくならざるを得ないので、熱膨張差に起因するホルダー２００の変形を抑制する効果が減殺される。従って、本実施の形態のように、ホルダー２００の中央部を熱変形の起点とするのが好適である。
図５（ｂ）は、図４における一点鎖線Ｂ−Ｂにおける光書き込み装置１００の断面図である。図５（ｂ）に示すように、ロッドレンズアレイ２２０は腕部２０３ａの座面近傍でホルダー２００に接着固定される。また、脚部２０２ａは、は本体部２０１から突出した先端部において板金部材２１０に接着固定される。
【００３２】
このようにホルダー２００を板金部材２１０に接着固定すれば、板金部材２１０の剛性を効率的にホルダー２００に伝達することができるので、ロッドレンズアレイ２２０が短尺方向に振動するのを抑制することができる。
また、脚部２０２ａは、先端部のみで板金部材２１０に接着固定されており、かつ脚部２０２よりも長尺方向に幅狭になっているので、剛性が低く変形し易い（従って、可撓性が高い）。一方、脚部２０２ｂは、基部において板金部材２１０に接着固定されており、かつ長尺方向に幅広になっているので、剛性が高く変形し難い。ホルダー２００の本体部２０１もまた剛性が高く変形し難い。
【００３３】
一方、ホルダー２００は板金部材２１０と比較して線膨張係数が大きいので、ＯＬＥＤ−ＰＨに搭載されているＩＣが発熱したり、環境温度が上昇したりすることによって、ホルダー２００や板金部材２１０の温度が上昇すると、ホルダー２００と板金部材２１０との間に熱膨張差が発生する。
ホルダー２００の本体部２０１と板金部材２１０との間に熱膨張差が生じても、本体部２０１や脚部２０２ｂは剛性が高いので変形し難い。一方、脚部２０２ａは剛性が低いので、図６（ａ）に示すように、変形する。図６（ｃ）は、図６（ａ）の破線６００内の拡大図である。
【００３４】
ホルダー２００の本体部２０１と板金部材２１０との間に熱膨張差が生じると、図６（ｃ）に示すように、脚部２０２ａとロッドレンズアレイ２２０との接着固定位置が長尺方向における端部側へ移動する距離の方が、脚部２０２ａと板金部材２１０との接着固定位置の移動距離よりも大きくなって、接着固定位置どうしの相対的な位置関係が変化する。脚部２０２ａは剛性が低いので、この位置関係の変化によって変形する。
【００３５】
このように脚部２０２ａが変形することによって、本体部２０１に作用する応力が軽減される。従って、本体部２０１やロッドレンズアレイ２２０の変形が防止されるので、ＯＬＥＤ２３１の出射光の結像状態が変化して画質が劣化するのを防止することができる。
［２］第２の実施の形態
次に、本発明の第２の実施の形態について説明する。
【００３６】
図７は、ホルダー２００とロッドレンズアレイ２２０とを示す平面図である。図７に示すように、ホルダー２００は、上記第１の実施の形態の構成に加えて、長尺方向における脚部２０２ａ、２０２ｂの中間に脚部７０２が形成されている。脚部７０２もまたリブ状の部分であって、長尺方向における脚部７０２の幅は脚部２０２ａ、２０２ｂの幅の中間の大きさになっている。
【００３７】
脚部２０２ａは先端部のみにおいて板金部材２１０に接着固定されており、脚部２０２ｂは基部のみにおいて板金部材２１０に接着固定されている。一方、脚部７０２は板金部材２１０に接着固定はされていない。しかしながら、ホルダー２００に振動が加わっても、脚部７０２が板金部材２１０に当接しているので、腕部７１１の座面が振動し難くなっている。従って、ロッドレンズアレイ２２０の振動を抑制することができる。
【００３８】
長尺方向において脚部７０２に対応する位置には腕部７１１が設けられている。ロッドレンズアレイ２２０は、腕部７１１の座面に当接した状態で腕部７１１に接着固定される一方、脚部２０２ａ、２０２ｂに対応する腕部２０３ａ、２０３ｂについては、ロッドレンズアレイ２２０に当接するのみで接着固定はされない。
図８に示すように、本実施の形態においては、上記第１の実施の形態に係る光書き込み装置１００に脚部７０２を追加するので、ホルダー２００の光軸方向における両端部間の剛性が向上する。従って、熱膨張によってホルダー２００が変形するのが防止される。また、長尺方向における位置ごとに板金部材２１０とロッドレンズアレイ２２０との何れか一方にホルダー２００が接着固定されているので、光書き込み装置１００全体の剛性を保つことができる。
【００３９】
更に、長尺方向における位置ごとに板金部材２１０とロッドレンズアレイ２２０との何れか一方にしかホルダー２００を接着固定せず、接着固定する箇所が少ないので、組み立て時の作業性を向上させることができる。
［３］第３の実施の形態
次に、本発明の第３の実施の形態について説明する。
【００４０】
図９に示すように、本実施の形態に係る光書き込み装置１００は、上記第２の実施の形態に係る光書き込み装置１００と同様の形状を有する一方、ロッドレンズアレイ２２０が腕部７０３に加えて腕部２０３ａ、２０３ｂにも接着固定されている点が相違している。
詳述すると、ロッドレンズアレイ２２０は腕部２０３ａ、２０３ｂ及び７０３にそれぞれ接着固定されている。一方、脚部２０２ａ、２０２ｂは板金部材２１０に接着固定されているものの、脚部７０２は板金部材２１０に接着固定されていない。脚部２０２ａは先端部が板金部材２１０に接着固定されており、脚部２０２ａは基部が板金部材２１０に接着固定されている。
【００４１】
ホルダー２００とロッドレンズアレイ２２０との接着固定位置が、ホルダー２００と板金部材２１０との接着固定位置に長尺方向において一致している場合には、ロッドレンズアレイ２２０の接着固定位置が規定する振動モードと、板金部材２１０の接着固定位置が規定する振動モードとが長尺方向において一致する。このため、光書き込み装置１００に振動が加わると、板金部材２１０とロッドレンズアレイ２２０とが共振してしまい、ＯＬＥＤ２３１の出射光の結像状態が乱れてしまう。
【００４２】
一方、図１０に示すように、ホルダー２００が、腕部２０３ａ、２０３ｂ及び７０３と５か所でロッドレンズアレイ２２０に接着固定されている場合には、一点鎖線１００１で示すように、これら５か所の接着固定位置を振動の節とし、長尺方向において隣り合う接着固定位置どうしの中間位置を振動の腹とする振動モードを有する。
また、ホルダー２００の本体部２０１は、脚部２０２ａ、２０２ｂが板金部材２１０に接着固定される一方、脚部７０２が板金部材２１０に接着固定されていないので、一点鎖線１００２で示すように、３か所の接着固定位置を振動の節とし、長尺方向において隣り合う接着固定位置どうしの中間位置を振動の腹とする振動モードも有することになる。
【００４３】
長尺方向における一点鎖線１００１の振動モードの節の位置は間隔が狭いので、ホルダー２００が一点鎖線１００１の振動モードで振動しようとしても振幅を大きくするのは難しい。また、長尺方向における一点鎖線１００２の振動モードの腹の位置が、一点鎖線１００１の振動モードでは節に当たり、かつ、脚部７０２が板金部材２１０に当接しているので、ホルダー２００が一点鎖線１００２の振動モードで振動することも難しい。
【００４４】
このように、ホルダー２００とロッドレンズアレイ２２０との接着固定位置及びホルダー２００と板金部材２１０との接着固定位置によって規定される２つの振動モードの何れによっても、ホルダー２００が振動することは難しいので、光書き込み装置１００に振動が加わっても、光書き込み装置１００全体として振動し難い。従って、振動に起因するＯＬＥＤ２３１の出射光の結像状態の乱れを防止することができるので、優れた画質を実現することができる。
［４］第４の実施の形態
次に、本発明の第４の実施の形態について説明する。
【００４５】
図１１は、本実施の形態に係る光書き込み装置１００の側面図である。図１１に示すように、本実施の形態に係る光書き込み装置１００は、上記第３の実施の形態に係る光書き込み装置１００と概ね同様の構成を備える一方、腕部２０３ａがロッドレンズアレイ２２０に接着固定されていない点で相違する。従って、腕部２０３ｂ、７０３のみがロッドレンズアレイ２２０に接着固定されている。
【００４６】
このため、ホルダー２００は、一点鎖線１１０１で示すように、これら３か所の接着固定位置を振動の節とし、長尺方向において隣り合う接着固定位置どうしの中間位置を振動の腹とする振動モードを有する。この振動モードは節の間隔が狭いので、ホルダー２００が一点鎖線１１０１の振動モードで振動しようとしても振幅を大きくするのは難しい。
また、脚部２０２ａ、２０２ｂが板金部材２１０に接着固定されている一方、脚部７０２には板金部材２１０に当接するのみであり、接着固定はされていない。このため、ホルダー２００は、一点鎖線１１０２で示すように、３か所の接着固定位置を振動の節とし、長尺方向において隣り合う接着固定位置どうしの中間位置を振動の腹とする振動モードも有することになる。
【００４７】
しかしながら、長尺方向における一点鎖線１１０２の振動モードの腹の位置は、一点鎖線１１０１の振動モードでは節に当たり、かつ脚部７０２が板金部材２１０に当接しているので、ホルダー２００が一点鎖線１１０２の振動モードで振動することも難しい。
このように、本実施の形態においても、ホルダー２００は２つの振動モードの何れでも振動することが難しいので、光書き込み装置１００に振動が加わっても、光書き込み装置１００全体として振動し難くなっている。従って、振動に起因するＯＬＥＤ２３１の出射光の結像状態の乱れを防止することができるので、優れた画質を実現することができる。
【００４８】
また、上記第３の実施の形態と比較して、腕部２０３ａをロッドレンズアレイ２２０に接着固定する必要がないので、その分、光書き込み装置１００を組み立てる手間を省いて、組み立て作業性を高めることができる。
［５］変形例
以上、本発明を実施の形態に基づいて説明してきたが、本発明が上述の実施の形態に限定されないのは勿論であり、以下のような変形例を実施することができる。
（１）上記実施の形態においては、腕部２０３ａ、２０３ｂが本体部２０１から上方に突出している場合を例にとって説明したが、本発明がこれに限定されないのは言うまでもなく、これに代えて次のようにしてもよい。
【００４９】
図１２は、本実施の形態に係る光書き込み装置１００の断面斜視図である。図１２に示すように、本変形例に係る光書き込み装置１００は本体部２０１が上下２段構成になっており、下段は上記実施の形態と同様の形状になっており、上段は長尺方向と短尺方向との何れにおいても下段より幅狭になっている。このように、本体部２０１の上段とロッドレンズアレイ２２０との間隔が狭くなっているので、ＯＬＥＤ２３１からロッドレンズアレイ２２０に至る出射光Ｌの光路上に異物が侵入して、遮光するのを防止することができる。従って、異物による画像の欠け等を防止することができるので、高画質を達成することができる。
（２）上記実施の形態においては、ホルダーが２００腕部及び脚部を６つずつ又は１０ずつ備えている場合を例にとって説明したが、本発明がこれに限定されないのは言うまでもなく、これに代えて腕部と脚部とを更に多くしてもよい。また、腕部と脚部とは同数でなくてもよく、また、腕部と脚部とがホルダー２００の長尺方向において同じ位置なくてもよいし、同じ位置にある腕部と脚部の組と同じ位置にない腕部や脚部が混在してもよい。いずれも場合においても、本発明の効果を得ることができる。
（３）上記実施の形態においては、画像形成装置がタンデム型のカラープリンター装置である場合を例にとって説明したが、本発明がこれに限定されないのは言うまでもなく、タンデム型以外のカラープリンター装置やモノクロプリンター装置に本発明を適用してもよい。また、スキャナーを備えた複写装置や、ファクシミリ通信機能を備えたファクシミリ装置といった単機能機、或いはこれらの機能を兼ね備えた複合機（MFP: Multi-Function Peripheral）に本発明を適用しても同様の効果を得ることができる。
【産業上の利用可能性】
【００５０】
本発明に係る光書き込み装置及び画像形成装置は、温度変化や振動に起因するＯＬＥＤ−ＰＨの結像状態の劣化を防止することができる装置として有用である。
【符号の説明】
【００５１】
１………画像形成装置
１００…光書き込み装置
２００…ホルダー
２０２…脚部
２０３…腕部
２１０…板金部材
２２０…ロッドレンズアレイ
２３１…ＯＬＥＤ
【図１】
2018086791.tif 000003
【図２】
2018086791.tif 000004
【図３】
2018086791.tif 000005
【図４】
2018086791.tif 000006
【図５】
2018086791.tif 000007
【図６】
2018086791.tif 000008
【図７】
2018086791.tif 000009
【図８】
2018086791.tif 000010
【図９】
2018086791.tif 000011
【図１０】
2018086791.tif 000012
【図１１】
2018086791.tif 000013
【図１２】
2018086791.tif 000014
【図１３】
2018086791.tif 000015
【図１４】
2018086791.tif 000016